(57)【要約】複数データ信号（data-1〜data-n）を伝送するための光信号伝送装置であって、前記データ信号（data-1）それぞれを受信するとともに、前記個々のデータ信号を制御された位相でかつ制御されたデータレートで分配する複数の入力手段（１）と、異なる波長（λ1〜λn）を有する光搬送波信号を生成する光搬送波生成手段（４）と、前記各光搬送波を、第１の変調光搬送波信号を供給する個々のデータ信号でそれぞれ変調する複数の第１変調手段（３）と、複数の入力ポート（１５ａ〜１５ｎ）を有する光信号−経路装置（１５）と、前記第１の変調光搬送波信号をそれぞれ受信するとともにこれを前記装置の出力ポートに配信する各ポートとを備える。本装置は、さらに変調された複数の光搬送波信号を供給するために、クロック（９）に依存する前記第１の変調光搬送波信号のそれぞれをさらに変調する変調手段（１３，１４）と、前記さらなる変調に依存して、前記入力手段が前記データ信号を前記第１の変調手段へ配信する位相及びレートを制御してこれにより各入力データ信号を前記クロックに同期させるために、前記さらに変調された光搬送波信号のそれぞれの割合（proportion）を個々の入力手段（１）にフィードバックする、前記光信号−経路装置（１５）を含むフィードバック構成（１７，１６，１５，８）とをさらに含み、そしてここで前記光信号−経路装置は、前記信号の波長に依存する経路に沿ってその出力に適用された前記さらに変調された信号のそれぞれを個々の入力手段に配信することを特徴とする。【選択図】図１
2005505985.tif 000002
【特許請求の範囲】
【請求項１】
複数データ信号（data-1〜data-n）を伝送するための光信号伝送装置であって、
前記データ信号それぞれを受信するとともに、前記個々のデータ信号を制御された位相でかつ制御されたデータレートで分配する複数の入力手段（１）と、
異なる波長（λ1〜λn）を有する光搬送波信号を生成する光搬送波生成手段（４）と、
前記各光搬送波を、第１の変調光搬送波信号を供給する個々のデータ信号でそれぞれ変調する複数（ｎ）の第１変調手段（３）と、
複数の入力ポート（１５ａ〜１５ｎ）を有する光信号−経路装置（１５）と、
前記第１の変調光搬送波信号をそれぞれ受信するとともにこれを前記装置の出力ポートに配信する各ポートとを備え、
さらに変調された複数の光搬送波信号を供給するために、クロック（９）に依存する前記第１の変調光搬送波信号のそれぞれをさらに変調する変調手段（１３，１４）と、
前記さらなる変調に依存して、前記入力手段が前記データ信号を前記第１の変調手段へ配信する位相及びレートを制御してこれにより各入力データ信号を前記クロックに同期させるために、前記さらに変調された光搬送波信号のそれぞれの割合（proportion）を個々の入力手段（１）にフィードバックする、前記光信号−経路装置（１５）を含むフィードバック構成（１７，１６，１５，８）とをさらに含み、そしてここで前記光信号−経路装置は、前記信号の波長（λ）に依存する経路に沿ってその出力に適用された前記さらに変調された信号のそれぞれを個々の入力手段に配信することを特徴とする光信号伝送装置。
【請求項２】
前記複数の第１の変調光搬送波信号を前記光信号−経路装置（１５）の入力ポート（１５ａ〜１５ｎ）へ搬送するように、及び前記フィードバック構成によって搬送された前記信号を前記光信号−経路装置の入力ポートから前記複数の入力手段に向かって搬送するように接続された複数の第１の光方向性結合器（８）と、
前記複数の第１の変調光搬送波信号を前記光信号−経路装置の出力ポートから搬送するように、及び前記フィードバック構成（１７）によって搬送された前記信号を前記光信号−経路装置の出力ポートへ搬送するように接続された第２の光方向性結合器（１６）とをさらに含むことを特徴とする請求項１に記載の装置。
【請求項３】
前記第１及び第２の光方向性結合器（８，１６）は、ある方向のビームスプリッター装置として動作し、かつその反対方向のビームスプリッター装置として動作する偏光依存結合器であることを特徴とする請求項２又は３に記載の装置。
【請求項４】
前記一層変調手段（１３，１４）と前記第２の光方向性結合器（１６）との間のフィードバック経路（１７）において、当該フィードバック経路（１７）により搬送される信号の偏光回転を９０°で供給する手段をさらに含むことを特徴とする請求項３に記載の装置。
【請求項５】
前記フィードバック経路（１７）は、９０°ねじれを生ぜしめる光ファイバーを維持する偏光を含むことを特徴とする請求項４に記載の装置。
【請求項６】
前記第１及び第２の光方向性結合器は、光サーキュレーターであることを特徴とする請求項２に記載の装置。
【請求項７】
前記光信号−経路装置（１５）は、アレイド  ウェイブガイド（arrayed waveguide）：ＡＷＧルータを含むことを特徴とする請求項１〜６の何れか１項に記載の装置。
【請求項８】
前記一層変調手段は、パルス形成変調器（１３）を含むことを特徴とする請求項１〜７の何れか１項に記載の装置。
【請求項９】
前記一層変調手段は、位相変調器（１４）を含むことを特徴とする請求項１〜８の何れか１項に記載の装置。
【請求項１０】
前記一層変調手段は、位相変調器（１４）に連続して接続されたパルス形成変調器（１３）を含むことを特徴とする請求項１〜９の何れか１項に記載の装置。
【請求項１１】
前記入力手段（１）は、入力信号データを格納し、かつ前記制御レートで前記信号データを配信することの可能なバッファ記憶機構を含むことを特徴とする請求項１〜１０の何れか１項に記載の装置。
【請求項１２】
複数のデータ信号を伝送する方法であって、
前記個々のデータ信号を制御された位相、制御されたレートで分配し、
複数の異波長の光搬送波信号を前記データ信号で変調し、
前記複数の異波長の変調光搬送波信号を光信号−経路装置の個々の入力ポートへ搬送し、
前記複数の異波長の変調光搬送波信号を前記光信号−経路装置を通って通過させ、当該光信号−経路装置はその出力ポートへ前記光搬送波信号の波長に依存して前記第１の変調光搬送波信号を搬送し、設定レートで一層変調するために前記異波長の変調光搬送波信号を支配し、
前記一層変調に続いて前記異波長の変調光搬送波信号を送信し、
前記一層変調の位相及びレートに従って、前記複数のデータ信号を配信する位相及びレートを制御することを特徴とする方法。
【発明の詳細な説明】
【技術分野】
【０００１】
本発明は光信号伝送に関係し、より詳しくは複数のデータ信号（通信路）を伝送するための装置及び方法に関するものである。特に、本発明は、高密度波長多重（ＤＷＤＭ）の光電気通信チャネルに使用するための光信号伝送にかかわる。
【背景技術】
【０００２】
ＤＷＤＭの光電気通信ネットワークで知られているように、複数の通信チャネル（典型的には４０，８０，１６０又はより高い）は、離散周波数帯を有する個々の光搬送波を変調することにより送信され、そして次に、前記複数の変調された光搬送波（ＷＤＭ放射）を単一の光ファイバーに沿って送信する。典型的には、各変調光搬送波は、個々の光変調器（例えば、マッハーツェンダー光変調器）を使用する個々のレーザーにより生成された連続波（ｃｗ）の光搬送波を変調する振幅（強度）により生成される。さらに、伝送用のＷＤＭ放射を形成するため、変調搬送波を組み合わせる（多重化する）前に各変調搬送波を変調（例えば、位相変調又はパルス整形）する個々の光変調器を含むことが知られている。このような伝送装置の制御は多数の光変調器のために複雑であり、特に８０又はそれ以上のチャネルを含むネットワークでは多数の光変調器を含んでいる。さらに、それらはこの多数の変調器のために高価である。
【０００３】
（本発明の説明）
本発明は、改良された光伝送装置を提供しようとする努力で生じたものである。少なくとも一部は、既知の構成に関する制限を克服する。
【０００４】
本発明によれば、複数データ信号を伝送するための光信号伝送装置であって、前記データ信号それぞれを受信するとともに、前記個々のデータ信号を制御された位相でかつ制御されたデータレートで分配する複数の入力手段と、異なる波長を有する光搬送波信号を生成する光搬送波生成手段と、前記各光搬送波を、第１の変調光搬送波信号を供給する個々のデータ信号でそれぞれ変調する複数の第１変調手段と、複数の入力ポートを有する光信号−経路装置と、前記第１の変調光搬送波信号をそれぞれ受信するとともにこれを前記装置の出力ポートに配信する各ポートとを備え、さらに変調された複数の光搬送波信号を供給するために、クロックに依存する前記第１の変調光搬送波信号のそれぞれをさらに変調する変調手段と、前記さらなる変調に依存して、前記入力手段が前記データ信号を前記第１の変調手段へ配信する位相及びレートを制御してこれにより各入力データ信号を前記クロックに同期させるために、前記さらに変調された光搬送波信号のそれぞれの割合を個々の入力手段にフィードバックする、前記光信号−経路装置を含むフィードバック構成とをさらに含み、そしてここで前記光信号−経路装置は、前記信号の波長に依存する経路に沿ってその出力に適用された前記さらに変調された信号のそれぞれを個々の入力手段に配信することを特徴とする光信号伝送装置が提供される。
【０００５】
本発明は、前記データ信号のそれぞれが最小の付加的構成要素、つまり、各入力手段へ個々のフィードバック経路を提供する単一のさらなる光変調器及び光信号−経路装置により同期するようにすることができる。各データ信号の同期はそれが変調できるという点で好都合であり、各データ信号のために中央のビット窓に生じる。これにより変調搬送波のパルス形状すべてに使用される単一のさらなる変調器を使用可能にする。対照的に、既知の伝送装置においては、個々のさらなる変調器が、複数の変調光搬送波のそれぞれのパルス形状に使用される。
【０００６】
好ましくは、本装置は、前記複数の第１の変調光搬送波信号を前記光信号−経路装置の入力ポートへ搬送するように、及び前記フィードバック構成によって搬送された前記信号を前記光信号−経路装置の入力ポートから前記複数の入力手段に向かって搬送するように接続された複数の第１の光方向性結合器（８）と、前記複数の第１の変調光搬送波信号を前記光信号−経路装置の出力ポートから搬送するように、及び前記フィードバック構成によって搬送された前記信号を前記光信号−経路装置の出力ポートへ搬送するように接続された第２の光方向性結合器とをさらに含む。
【０００７】
都合のよいことには、光方向性結合器は、ある方向のビームスプリッター装置として動作し、かつその反対方向のビームスプリッター装置として動作する偏光依存結合器である。このような結合器を備えた前記装置は、都合のよいことには、前記さらなる変調手段と前記第２の光方向性結合器との間のフィードバック経路において、当該フィードバック経路により搬送される信号の偏光回転を９０°で供給する手段をさらに含む。好ましくは、このようなフィードバック経路は、９０°ねじれを生ぜしめる光ファイバーを維持する偏光を含む。
あるいはまた、前記第１及び第２の光方向性結合器は、光サーキュレーターであり、この場合、フィードバック経路は、当該フィードバック経路により搬送される信号の偏光の回転を９０°で供給する必要がない。
【０００８】
好ましくは、前記光信号−経路装置は、アレイド  ウェイブガイド（arrayed waveguide）ルータを含む。
ある構成において、前記さらなる変調手段はパルス形成変調器を含む。
代替の構成において、前記さらなる変調手段は位相変調器を含む。
【０００９】
さらに代替の構成において、前記さらなる変調手段は位相変調器に連続して接続されたパルス形成変調器を含む。
好ましくは、前記入力手段は、入力信号データを格納し、かつ前記制御レートで前記信号データを配信することの可能なバッファ記憶機構を含む。
【００１０】
また、本発明は、前記個々のデータ信号を制御された位相、制御されたレートで分配し、複数の異波長の光搬送波信号を前記データ信号で変調し、前記複数の異波長の変調光搬送波信号を光信号−経路装置の個々の入力ポートへ搬送し、前記複数の異波長の変調光搬送波信号を前記光信号−経路装置を通って通過させ、当該光信号−経路装置はその出力ポートへ前記光搬送波信号の波長に依存して前記第１の変調光搬送波信号を搬送し、設定レートでさらに変調するために前記異波長の変調光搬送波信号を支配し、前記さらなる変調に続いて前記異波長の変調光搬送波信号を送信し、前記さらなる変調の位相及びレートに従って、前記複数のデータ信号を配信する位相及びレートを制御することを特徴とする複数のデータ信号を伝送する方法を提供する。
【００１１】
本発明に従った光信号伝送装置が、添付の図面を参照した例示の方法によって説明されるだろう。その図面は、対応のＷＤＭ光出力放射を生成する複数の電気データ信号を送信するためのＷＤＭ（波長分割多重伝送方式）光信号伝送装置を表す図である。
【００１２】
添付の図面を参照すると、このＷＤＭ光信号伝送装置は、個々の電気的データ入力信号のdata-1からdata-nを受信するために、複数ｎのデータ入力ポートｉ/ｐ−１〜ｉ/ｐ-nを含む。各データ入力ポートｉ/ｐ-1〜ｉ/ｐ-nは、第１の変調回路ブロック１００ａ〜１００ｎのそれぞれに関係している。
【００１３】
入力信号data-1に関連した第１の変調回路ブロック１００ａの構成要素及び相互接続を述べる。データ入力ポートｉ/ｐ-1は、前方誤り訂正（ＦＥＣ）回路１の信号入力ポートによって供給され、このＦＥＣ回路１は、外部制御信号／クロックと同期する制御入力ポート１ｂを有している。ＦＥＣ回路１の出力ポートは、増幅器２の信号入力ポートに接続されている。増幅器２の出力ポートは光変調器３（例えば、マッハーツェンダー光変調器）の変調信号入力ポートに接続され、光変調器３は、可変光減衰器（ＶＯＡ）５を通って、波長がロックされた分布フィードバックレーザー（ＤＦＢ）４に接続される光搬送信号入力ポートを含む。光変調器３の出力ポートは、経路ダイバーシティー（diversity）制御回路６の単一入力ポートに接続される。そして、その経路ダイバーシティー制御回路６の出力ポートは、第１の偏光ビームスプリッター／コンバイナー（ＰＢＳ）８の第１のポートに接続される。このＰＢＳ８は、前記第１の変調回路ブロック１００ａの光出力を構成する第１の出力ポートと、位相同期ループ（ＰＬＬ）要素７を通りＦＥＣ１の制御入力ポート１ｂに接続される第２の出力ポートとを含む。
【００１４】
第１の変調回路ブロックそれぞれの光出力は、光多重化装置１５の入力ポート１５ａ〜１５ｎにそれぞれ接続される。光多重化装置１５の出力ポートは、第２の偏光ビームスプリッター／コンバイナー（ＰＢＳ）１６の第１のポートに接続され、その第２のポートは、光パルス形成変調器１３の単一入力ポートに接続される。この光パルス形成変調器１３の光信号出力ポートは、光位相変調器１４の単一入力ポートに接続され、その出力ポートは、伝送装置の出力ポートとして提供される。制御クロック発信器９の出力ポートは、増幅器１１を通って、光パルス形成変調器１３の電気制御ポートに接続される。また、制御クロック発信器９の出力ポートは、周波数倍加回路１０及び増幅器１２を通って位相変調器１４の制御ポート接続される。光フィードバック経路１７は、位相変調器１４の出力ポートから第２ＰＢＳ１６の第３ポートまで延長する。この光フィードバック経路１７は、経路を通過する光信号の偏光（偏極）面を９０°回転させる。光フィードバック経路１７は、９０°のねじれが生ぜしめる光ファイバーを保持する偏光を含むことが好ましい。
【００１５】
前述したように、光多重化装置１５は複数の信号入力ポート１５ａ，１５ｂ，１５ｃ…１５ｎを有し、それぞれは第１の変調回路ブロック１００ａ，１００ｂ…１００ｎと個々に関連している。光多重化装置１５は、信号入力ポート１５ａ，１５ｂ，１５ｃ…１５ｎに適用された異なる波長の複数の光入力信号を受動的に組み合わせ（多重化し）、そしてこの組み合わせたＷＤＭ信号をその信号出力ポートに分配する。逆に言えば、光多重化装置１５の信号出力ポートに適用された光信号は、光信号の波長により特定される経路に従い、そして光信号の波長に対応する入力ポートに到達する。このようにして、光多重化装置１５は、逆方向においては反多重化として動作する。
【００１６】
前述したように、ＦＥＣ回路１、ＰＬＬ回路７、増幅器２、光変調器３、波長がロックされたＤＦＢレーザー４、ＶＯＡ５、経路ダイバーシティー制御回路６、及びＰＢＳ８は、破線内に示す第１の変調回路ブロック１００ａを形成し、そして破線の外枠１００ｎで表された付加的な第１の変調回路ブロックが、光多重化装置１５の他の信号入力ポート１５ｂ，１５ｃ…１５ｎに接続される。第１の変調回路ブロック１００ａ…１００ｎは、互いに独立しており、必要とされる場合に追加されることができる。第１の変調回路ブロックは、光多重化装置１５の個々の光入力ポートに接続可能な電気入力ポート及び光出力ポートを有する回路基板として加工されているのが好ましい。付加的な第１の変調回路ブロック１００ｎは、光多重化装置１５の入力ポート１５ｂ…１５ｎに関係して、連続した位置を占める必要はない。
【００１７】
光多重化装置／反多重化装置１５は、受動的なアレイド  ウェイブガイド（ＡＷＧ）ルータであるのが好ましく、入力ポートの実質的な数、例えば２〜３百個を含む。ＡＷＧルータは、光による経路が光の波長に依存するおかげで通り過ぎるという固有の特性を有している。そしてその結果、このような装置の入力が波長比となる。本発明にとって重要なことは、光多重化装置１５の出力ポートに適用された光信号が、光信号の波長によって特定された入力ポートを移動することである。ＡＷＧルータはガラスで構成されることも可能である。
【００１８】
ＦＥＣ回路１は、入力データ要素を格納（バッファリング）することのできる複数のバッファ回路を含む。この格納されたデータ要素は、ＦＥＣ回路１の制御入力ポート１ｂに適用されたクロック信号の制御の下、ＦＥＣ回路１の出力ポートに分配される。ＦＥＣ回路１は、およそ標準レート、例えば共通クロックレートに変換されるＳＴＭ−６４又はＯＣ−１９２のデータレートをドリフトする位相及び周波数で、入力データストリームdata-1〜data-nを使用可能にする。ＦＥＣ回路１は前方誤り訂正の機能、及びレート変換の機能の両方を実行するのであるがこれらの機能は分離されていて、前方誤り訂正はデータレートを調整しない回路で実行され、そしてレート変換は誤り訂正能力のない回路で実行される。分離回路が用いられる場合、この２つの機能が実行される順番は重要ではない。
本装置はＤＦＢレーザー４からの固定パワー出力レベルで動作可能であり、したがってＶＯＡ５がこの装置にとって本質的でないことをもたらす。
【００１９】
本装置はパルス形成変調器のみ又は位相変調器のみを含むことができる。あるいはまた、振幅／位相変調器が光パルス形成変調器１３及び位相変調器１４の両方の代わりに用いられる。
【００２０】
主なファイバー経路上に生ずる失敗状況のイベントにおいて主なファイバー経路から別のファイバー経路までの切り換えに影響を与えて安全な機能を実行する装置に対しては、この経路ダイバーシティー制御回路６は本質的ではない。ＰＢＳ８は、その第１のポートで入力信号を通過させてその第２のポートは出力ポートとして動作するように機能し、かつその第２のポートで入力信号を通過させて入力ポートとして動作し、その第３のポートは出力ポートとして動作するように機能する。ＰＢＳ１６は、その第１のポートから第２のポートまで、及び入力ポートとして動作するその第２のポートから第３のポートまでの信号の通過において同様な方法でＰＢＳ８に機能する。ＰＢＳ８，１６は、偏光状態に依存する光信号の経路を定める。
【００２１】
ＰＢＳ８及びＰＢＳ１６を介した順方向に関連する逆方向での光エネルギー偏極面における９０°回転は、ＰＢＳ８及びＰＢＳ１６を許可するために要求され、順方向エネルギーから逆方向エネルギーを分離する。
【００２２】
装置の出力からのフィードバック信号の偏光で光フィードバック経路１７が９０°回転を供給することが必要でない場合、ＰＢＳ８及びＰＢＳ１６は、光信号サーキュレーターにより置換えられることができる。
【００２３】
入力ポートｉ/ｐ-1に適用されたデータ信号を参照しながら、光伝送装置の動作を説明する。電気的データ信号data-1は信号入力ポートｉ/ｐ-1に９．９５３Ｇｂ/ｓで到着し、制御クロック発信器９のタイミングの下、フィードバック接続を通ってＦＥＣ回路１の制御入力ポート１ｂまでのデータレートを１０．６６Ｇｂ/ｓにもたらしながら、ＦＥＣ回路１における前方誤り訂正のための付加的ビットを受信する。この電気的データ信号は増幅器２によって増幅され、そしてこの増幅された信号は光変調器３を制御するために用いられる。選択された波長λ1の光搬送波信号は波長がロックされたＤＦＢレーザー４によって生成され、１０．６６Ｇｂ/ｓのデータ信号によって光信号が振幅変調される光変調器３にそれが入る前に、光搬送波信号のレベルがＶＯＡ５によって調整される。変調器３からの変調された光搬送波は経路ダイバーシティー制御回路６を通過して、ＰＢＳ８を介した光多重化装置１５の個々の入力ポート１５ａへ進む。変調された光搬送波は、前に示したような波長により特定される光経路に沿って光多重化装置１５の単一出力ポートへ移動する。
【００２４】
光多重化装置１５の出力ポートからの光信号出力はＰＢＳ１６を通過し、そしてこの信号の様式がパルス形成変調器１３のパルス形成に従う。パルス形成変調器１３を離れる信号は、次に位相変調器の様式に従う。例えば、位相変調器は周波数チャープ（chirp）に影響を与え、位相変調器１４における伝送ファイバー上を越えるＷＤＭ放射のその後の伝送の間、色分散のための前補正をする。パルス形成変調器１３は、パルス形成変調器１３の制御ポートへの制御クロック発信器９の接続を通じて、増幅器１１の方法により、クロック発信器９に同期させられる。信号の位相は、位相変調器１４の制御ポートへの制御クロック発信器９の接続を通じて、周波数倍加回路１０及び増幅器１２の方法により制御クロック発信器９の位相に調整される。
【００２５】
光フィードバック経路１７、ＰＢＳ１６、光多重化装置１５、ＰＢＳ８、及びＰＬＬ７を含むフィードバック回路の方法により、ＦＥＣ１用のクロック信号が位相変調器１４からの出力信号より回復される。このクロック信号を通して、ＦＥＣ１の位相及びレートが、第１の変調回路ブロックのそれぞれを制御クロック発信器９に同期させるために調整される。そしてこの結果、各電気的データ入力信号のための中央のビット窓に変調が生じることを確実にする。
【００２６】
フィードバック回路はすべて光フィードバック回路であるのが本質的である。フィードバック要素１７、ＰＢＳ１６、光多重化装置１５、及びＰＢＳ８はすべて光要素であり、そして、付加的構成要素として光フィードバック要素１７及びＰＬＬ７のみを要求する中にフィードバック回路が密集される。経路中のＰＬＬ７は光学的様式を含み、クロック信号を取り出すことができる電気信号様式にフィードバック光信号を変換するための電気的変換を行う。
【００２７】
その単一出力ポートからその入力ポート１５ａ…１５ｎまで移動する異なる波長の信号を分離する光多重化装置／反多重化装置１５の特徴は、ＰＢＳ１６と、ＰＢＳ８のような個々の偏光ビームスプリッター／コンバイナーとの間に、分離した信号を接続（フィードバック経路）する必要が生じないようにすることである。
【００２８】
制御クロック発信器９に用いられる５．３３ＧＨｚの周波数は、その装置にとって可能性のある１つのクロック周波数を表す。他のクロック周波数が用いられることもある。そして、一般的に前記クロック周波数が選ばれるので、パルス形成変調器１３及び位相変調器１４は、装置が属するシステムの特定の構成によって指示される直線レートで動作する。
【００２９】
位相変調器１４の出力光ファイバーは、ＷＤＭ出力信号の比率がフィードバック経路１７を通ってフィードバックされるタップ（tap）を含む。前方伝播の信号とフィードバックの信号との間で区別するため、フィードバック経路がＰＢＳ１６及びＰＢＳ８の使用を許可することにより偏光の９０°回転が導かれる。偏光状態に依存して光信号の経路を定める偏光ビームスプリッター（ＰＢＳ）の使用は、戻り信号の低損失な結合を可能にする。
【００３０】
多重化装置と反多重化装置の両方が、前方信号及び戻り信号を最小の付加的構成要素で調節する。前述したように、ＰＢＳ８及びＰＢＳ１６が光信号サーキュレーターによって置き換わり、この場合、偏光の９０°回転を導くために光フィードバック経路１７を必要とすることはない。
【００３１】
信号が多重化装置１５の第１の信号入力ポート１５ａに存在する前記状況と同様に、多重化装置１５の第２、第３…第ｎの信号入力ポート１５ｂ，１５ｃ…１５ｎで存在する個々の信号が、前方及び後方の両方でそれらの波長によって特定される経路に沿って、入力ポートと単一出力ポートの間の多重化装置１５を通って移動する。
【００３２】
フィードバック経路１７は、既存ファイバーのパッチ／バック（patch/back）平面を使用するのが好ましく、したがって、どんな新たなボードツー・ボード（board-to-board）接続も要求しない。
【００３３】
前述したように、要素１，２，３，４，５，６，７及び８は、特定のチャネルのための第１の変調回路ブロックを含むユニットに供給され、かつ装置に含まれる特定のチャネルに必要とされるときだけ提供される。これらの要素は第１のユニットとして組立てられ、その装置の残りが第２のユニットとして組立てられる。第２のユニットは、多重化装置１５、ＰＢＳ１６、光パルス形成変調器１３、位相変調器１４、フィードバック要素１７、及びクロック構成要素９，１０，１１及び１２を含み、前記第１及び第２のユニットは多重化装置１５の入力ポートに対応する複数の光リンクによって互いに結合される。
【００３４】
今の例において、入力ポートｉ/ｐ-1で存在する入力電気的データ信号は、非ゼロ戻り方式（ＮＲＺ）データ信号であるであるが、光信号変換装置は、特に、高速度な密波長多重（ＤＷＤＭ）ネットワークにおけるゼロ戻り方式の（Ｒ−Ｚ）データ生成を含む伝送に適している。変調器３の駆動信号の位相合わせは、各チャネル用のビット窓の中央に変調が生じることを確実にするために影響される。この装置では、すべてのチャネルにより共有されるパルス形成変調器１３が固定の制御クロック発信器９によって駆動され、そしてデータチャネルが、光フィードバック経路からＦＥＣ１へ通じるパルス形成変調器１３で位置合わせされる。
【００３５】
１６０波長のチャネル動作（つまり、ｎ＝１６０）が可能な光信号伝送装置において、光変調器３が各チャネルのために要求される。パルス形成変調器１３及び位相変調器１４に関しては、前記装置に基づく好都合な構成が４０チャネルの変調器のそれぞれ１つを用いる。つまり、多重化装置１５は４０の入力ポートを有し、結果として、全部で１６０チャネルのために４つのパルス形成変調器及び４つの位相変調器を必要とする。
【００３６】
本発明の伝送装置に対する等価な動作が可能な既知の光信号伝送装置は、各チャネル用に変調器、パルス形成変調器、及び位相変調器を要求する。つまり、従来の要求は、１６０チャネルのために、１６０のデータ変調器、１６０のパルス形成変調器、及び１６０の位相変調器である。個々のＷＤＭチャネルを表す変調された光搬送波は、ＷＤＭ出力を供給するために一緒に多重化される。
【００３７】
本発明の光信号伝送装置は光ファイバー伝送システムの送信機に特に適し、インタフェース機器を伴う多数の送信機は、多数のデータ信号を何度も伝送可能にする応答機の機能を提供する。
【図面の簡単な説明】
【００３８】
【図１】本発明の一実施例に従う構成図である。
【図１】
2005505985.tif 000003
【国際公開パンフレット】
2005505985.tif 000004
2005505985.tif 000005
2005505985.tif 000006
2005505985.tif 000007
2005505985.tif 000008
2005505985.tif 000009
2005505985.tif 000010
2005505985.tif 000011
2005505985.tif 000012
2005505985.tif 000013
2005505985.tif 000014
2005505985.tif 000015
2005505985.tif 000016
2005505985.tif 000017
2005505985.tif 000018
2005505985.tif 000019
2005505985.tif 000020
2005505985.tif 000021
2005505985.tif 000022
2005505985.tif 000023
2005505985.tif 000024
【国際調査報告】
2005505985.tif 000025
2005505985.tif 000026